【手続補正書】
【提出日】平成24年9月20日(2012.9.20)
【手続補正１】
【補正対象書類名】特許請求の範囲
【補正対象項目名】全文
【補正方法】変更
【補正の内容】
【特許請求の範囲】
【請求項１】
骨の少なくとも一部分に取って代わるように構成された軸受表面と、移植時に前記骨に面するように構成された移植表面とを有する、膝関節の骨へ取り付けるための本体部分と、
前記骨内に形成された対応する第１のキール空洞内に挿入されるように構成された第１のキールであって、前記第１のキール空洞内へ挿入した時に、内側方向および外側方向の両方への、前記骨に対する前記本体部分の動作を阻害するのに十分な量だけ前記移植表面から外向きに構成され、かつ突出している、第１のキール
とを備える、膝関節のための人工関節の装置であって、
前記第１のキールが、前記本体部分の長手方向に沿って延在し、かつ前記本体部分の長手方向中心線からずらされている、人工関節の装置。
【請求項２】
前記第１のキール空洞内への挿入のために前記第１のキールの表面が、内側−外側方向に沿って、凸状で弓状の断面形状を有する、請求項１に記載の人工関節の装置。
【請求項３】
前記第１のキール空洞内への挿入のために前記第１のキールの表面が、前記長手方向に沿って凹状で弓状の断面形状を有する、請求項１に記載の人工関節の装置。
【請求項４】
前記第１のキールが、１０ｍｍを超えない長さだけ前記移植表面から外向きに突出している、請求項１に記載の人工関節の装置。
【請求項５】
前記第１のキールが、前記第１のキール空洞内へ挿入した時に前記骨に対して前記本体部分を固定するように構成されている、請求項１に記載の人工関節の装置。
【請求項６】
前記第１のキールが、前記本体部分の周縁部分に沿って配置されている、請求項１に記載の人工関節の装置。
【請求項７】
前記第１のキールが、移植した時に前記第１のキールが前記骨の外側部分上に配置されるように、前記本体部分の前記長手方向中心線の外側に配置されている、請求項１に記載の人工関節の装置。
【請求項８】
前記第１のキールが、前記本体部分上の唯一のキールである、請求項１に記載の人工関節の装置。
【請求項９】
前記第１のキールが、前記本体部分の前記長手方向中心線に対して角度が付けられている、請求項１に記載の人工関節の装置。
【請求項１０】
前記第１のキールが、セメントを受容するように前記骨内に形成された空洞よりも狭い、請求項１に記載の人工関節の装置。
【請求項１１】
前記第１のキールが、前記本体部分の周縁から１０ｍｍ未満に位置している、請求項１に記載の人工関節の装置。
【請求項１２】
前記骨内に形成された対応する第２のキール空洞内に挿入されるように構成された第２のキールであって、前記第２のキール空洞内へ挿入した時に、内側方向および外側方向の両方への、前記骨に対する前記本体部分の動作を阻害するのに十分な量だけ前記移植表面から外向きに構成され、かつ突出している、第２のキール
をさらに備える、人工関節の装置であって、
前記第２のキールが、前記本体部分の前記長手方向に沿って延在し、かつ前記本体部分の前記長手方向中心線からずらされている、請求項１に記載の人工関節の装置。
【請求項１３】
前記第２のキールが、内部キールである、請求項１２に記載の人工関節の装置。
【請求項１４】
前記第２のキールが、前記本体部分の前記移植表面上に延在している複数のアームを含む、請求項１２に記載の人工関節の装置。
【請求項１５】
前記第２のキールが、前記本体部分の前記長手方向中心線に対して角度が付けられている、請求項１２に記載の人工関節の装置。
【請求項１６】
前記第２のキールが、前記第１のキールよりも短い、請求項１２に記載の人工関節の装置。
【請求項１７】
前記第２のキールが、前記本体部分の周縁から１０ｍｍ未満に位置している、請求項１２に記載の人工関節の装置。
【請求項１８】
前記第１および第２のキールの両方が、前記本体部分の前記長手方向中心線からずらされている、請求項１２に記載の人工関節の装置。
【請求項１９】
前記第１および第２のキールの両方が、前記本体部分の周縁上に位置している、請求項１２に記載の人工関節の装置。
【手続補正２】
【補正対象書類名】明細書
【補正対象項目名】００１０
【補正方法】変更
【補正の内容】
【００１０】
別の実施形態によれば、人工関節の装置を膝関節から除去する方法は、人工関節の装置が移植されている膝関節内の骨から骨物質を切除するステップと、人工関節の装置を骨から除去するステップとを含むことができる。人工関節の装置は、本体部分と、骨内の第１のキール空洞内に第１のキール深度まで挿入された第１のキールとを含むことができる。第１のキールは、本体部分の長手方向中心線からずらされていることができる。
[本発明1001]
骨の少なくとも一部分に取って代わるように構成された軸受表面と、移植時に前記骨に面するように構成された移植表面とを有する、膝関節の骨へ取り付けるための本体部分と、
前記骨内に形成された対応する第1のキール空洞内に挿入されるように構成された第1のキールであって、前記第1のキール空洞内へ挿入した時に、内側方向および外側方向の両方への、前記骨に対する前記本体部分の動作を阻害するのに十分な量だけ前記移植表面から外向きに構成され、かつ突出している、第1のキール
とを備える、膝関節のための人工関節の装置であって、
前記第1のキールが、前記本体部分の長手方向に沿って延在し、かつ前記本体部分の長手方向中心線からずらされている、人工関節の装置。
[本発明1002]
前記第1のキール空洞内への挿入のために前記第1のキールの表面が、内側−外側方向に沿って、凸状で弓状の断面形状を有する、本発明1001の人工関節の装置。
[本発明1003]
前記第1のキール空洞内への挿入のために前記第1のキールの表面が、前記長手方向に沿って凹状で弓状の断面形状を有する、本発明1001の人工関節の装置。
[本発明1004]
前記第1のキールが、10ｍｍを超えない長さだけ前記移植表面から外向きに突出している、本発明1001の人工関節の装置。
[本発明1005]
前記第1のキールが、前記第1のキール空洞内へ挿入した時に前記骨に対して前記本体部分を固定するように構成されている、本発明1001の人工関節の装置。
[本発明1006]
前記第1のキールが、前記本体部分の周縁部分に沿って配置されている、本発明1001の人工関節の装置。
[本発明1007]
前記第1のキールが、移植した時に前記第1のキールが前記骨の外側部分上に配置されるように、前記本体部分の前記長手方向中心線の外側に配置されている、本発明1001の人工関節の装置。
[本発明1008]
前記第1のキールが、前記本体部分上の唯一のキールである、本発明1001の人工関節の装置。
[本発明1009]
前記第1のキールが、前記本体部分の前記長手方向中心線に対して角度が付けられている、本発明1001の人工関節の装置。
[本発明1010]
前記第1のキールが、セメントを受容するように前記骨内に形成された空洞よりも狭い、本発明1001の人工関節の装置。
[本発明1011]
前記第1のキールが、前記本体部分の周縁から10ｍｍ未満に位置している、本発明1001の人工関節の装置。
[本発明1012]
前記骨内に形成された対応する第2のキール空洞内に挿入されるように構成された第2のキールであって、前記第2のキール空洞内へ挿入した時に、内側方向および外側方向の両方への、前記骨に対する前記本体部分の動作を阻害するのに十分な量だけ前記移植表面から外向きに構成され、かつ突出している、第2のキール
をさらに備える、人工関節の装置であって、
前記第2のキールが、前記本体部分の前記長手方向に沿って延在し、かつ前記本体部分の前記長手方向中心線からずらされている、本発明1001の人工関節の装置。
[本発明1013]
前記第2のキールが、内部キールである、本発明1012の人工関節の装置。
[本発明1014]
前記第2のキールが、前記本体部分の前記移植表面上に延在している複数のアームを含む、本発明1012の人工関節の装置。
[本発明1015]
前記第2のキールが、前記本体部分の前記長手方向中心線に対して角度が付けられている、本発明1012の人工関節の装置。
[本発明1016]
前記第2のキールが、前記第1のキールよりも短い、本発明1012の人工関節の装置。
[本発明1017]
前記第2のキールが、前記本体部分の周縁から10ｍｍ未満に位置している、本発明1012の人工関節の装置。
[本発明1018]
前記第1および第2のキールの両方が、前記本体部分の前記長手方向中心線からずらされている、本発明1012の人工関節の装置。
[本発明1019]
前記第1および第2のキールの両方が、前記本体部分の周縁上に位置している、本発明1012の人工関節の装置。
[本発明1020]
以下の段階を含む、膝関節内に人工関節の装置を移植する方法：
人工関節の装置の本体部分を受容するように構成され、かつ骨の本来の表面から第1の本体部分の深度だけ前記骨内に延在する、本体部分空洞を形成するように、膝関節の骨の第1の部分を除去する段階と、
前記人工関節の装置の前記本体部分から突出している第1のキールを受容し、かつ前記骨の前記本来の表面から第1のキールの深度だけ前記骨内に延在する、第1のキール空洞を形成するように、前記骨の第2の部分を除去する段階であって、前記第1のキール深度が、前記第1の本体部分深度よりも深く、および前記第1のキール空洞が、前記本体部分の長手方向に沿って延在してかつ前記本体部分の長手方向中心線からずらされている前記第1のキールを受容するように構成される、段階。
[本発明1021]
同一の骨除去工具を使用して、前記骨の前記第1の部分および前記骨の前記第2の部分の両方を除去する、本発明1020の方法。
[本発明1022]
前記第1のキール空洞の表面が、前記骨の内側−外側方向に沿って、凹状で弓状の断面形状を有する、本発明1020の方法。
[本発明1023]
前記第1のキール空洞の表面が、前記骨の前方−後方方向に沿って、凸状で弓状の断面形状を有する、本発明1020の方法。
[本発明1024]
前記第1のキール空洞が、前記本体部分の周縁部分に沿って配置された前記第1のキールを受容するように構成される、本発明1020の方法。
[本発明1025]
前記第1のキール空洞が、前記本体部分空洞の長手方向中心線の外側に配置される、本発明1020の方法。
[本発明1026]
前記第1のキール空洞が、前記骨内に形成された唯一のキール空洞である、本発明1020の方法。
[本発明1027]
以下の段階をさらに含む、本発明1020の方法：
前記人工関節の装置の前記本体部分から突出している第2のキールを受容し、かつ前記骨の前記本来の表面から第2のキールの深度だけ前記骨内に延在する、第2のキール空洞を形成するために、前記骨の第3の部分を除去する段階であって、前記第2のキール深度が、前記第1の本体部分深度よりも深く、および前記第2のキール空洞が、前記本体部分の長手方向に沿って延在している前記第2のキールを受容するように構成される、段階。
[本発明1028]
前記第2のキール空洞が、前記本体部分の前記長手方向中心線からずらされている前記第2のキールを受容するように構成される、本発明1027の方法。
[本発明1029]
第2のキール空洞が形成される場合の前記第1のキール深度が、追加のキール空洞が形成されない場合の前記第1のキール深度未満である、本発明1027の方法。
[本発明1030]
前記人工関節の装置を前記骨内に移植する段階をさらに含む、本発明1020の方法。
[本発明1031]
以下の段階を含む、人工関節の装置を膝関節から除去する方法：
人工関節の装置が移植されている膝関節内の骨から骨物質を切除する段階であって、前記人工関節の装置が、本体部分と、前記骨内の第1のキール空洞内に第1のキール深度まで挿入され、かつ前記本体部分の長手方向中心線からずらされている第1のキールとを含む、段階と、
前記人工関節の装置を前記骨から除去する段階。
[本発明1032]
切除の深度が、前記第1のキール深度未満である、本発明1031の方法。
[本発明1033]
前記第1のキールが、前記本体部分の前記長手方向中心線の外側に位置し、かつ前記骨物質を切除する段階が、前記骨の内側から開始される、本発明1032の方法。
[本発明1034]
前記第1のキールが、前記人工関節の装置の唯一のキールである、本発明1031の方法。